(57)【特許請求の範囲】
【請求項１】
立ち木を支持する水平木に、立ち木を嵌入させる半円状窪みと、その両端寄り又は支柱の上端寄りに設けた半円状窪みを、嵌入状態に縄や紐で縛るか又はベルト若しくは立ち木以外をボルトナットで締め付けることを特徴とする立ち木の支持方法。
【請求項２】
前記の水平木の立ち木寄りを支持するつっかい棒を設けて３本足とする場合に、前記つっかい棒又は水平木に半円状窪みを形成して、嵌入状態に縄や紐で縛るか又はベルト若しくはボルトナットで締め付けることを特徴とする請求項１に記載の立ち木の支持方法。
【請求項３】
前記の立ち木を嵌入させる半円状窪みは、予め立ち木の太さより大きめに形成しておき、立ち木が太くなるにつれて、嵌入部を締めなおすことを特徴とする請求項１又は請求項２に記載の立ち木の支持方法。
【請求項４】
立ち木を支持する水平木に、立ち木を嵌入させる半円状窪みと、その両端寄り又は支柱の上端寄りに設けた半円状窪みを、交差状態に縄や紐で縛るか又はベルト若しくは立ち木以外をボルトナットで締め付けてあることを特徴とする立ち木の支持構造。
【請求項５】
前記の水平木の立ち木寄りを支持するつっかい棒を設けて３本足とする場合に、前記つっかい棒又は水平木に半円状窪みを形成して嵌入させ、かつ縄や紐で縛るか又はベルト若しくはボルトナットで締め付けてあることを特徴とする請求項４に記載の立ち木の支持構造。
【請求項６】
前記の支柱及び／又はつっかい棒は、少なくとも地表の上側と下側が金属を溶射してあることを特徴とする請求項４又は請求項５に記載の立ち木の支持構造。
【請求項７】
丸太の側面に半円状窪みを形成する際に、２本の丸太を重ねた状態で横に寝かせ又は立てて、前記２本の丸太の境部を中心にして二つ同時にホールソーで穴あけすることを特徴とする半円状窪みの形成方法。
【請求項８】
１〜２本の丸太を固定する手段と、
前記丸太に半円状の窪みを形成するホールソーを取付ける本体を前後にスライドさせるガイド手段と、
このガイド手段を前記丸太の固定手段に対し回転可能に支持する手段と、
を備えていることを特徴とする半円状窪みの形成装置。
【発明の詳細な説明】
【技術分野】
【０００１】
本発明は、並木などの立ち木の支持方法と支持構造に関する。
【背景技術】
【０００２】
図１は、立ち木の従来の支持構造の斜視図であり、立ち木１を水平の支持木２で支持し、この水平木２の両端２１、２２を、斜めに立てた支柱３、４で支持している。立ち木１と水平木２との交差部や水平木２と支柱３、４との交差部は、シュロ縄などで縛って固定してある。
また、２本の支柱３、４だけでは不安な場合は、つっかい棒５を立てて３本足とし、水平木２との交差部をシュロ縄などで縛って固定する。
しかし、最大の欠点は、断面が真円の丸太を使用するため、交差部が点接触となり、強固に固定できないことと、肝心な立ち木より支持手段が目立つことである。４本足の場合も同様なことが言える。
一方、特許文献１のように、水平木に代えて合成樹脂製の２分割式のサポートを用いる方法が提案されているが、３本足にする場合は、図４のように全く異なる構造としなければならないし、また人工的に見えるのが最大の欠点で、自然な景観を台無しにしている。さらに、分割構造にするには、図２、図５のように複雑高価となり、組立ても面倒なため、採用しづらいなどの問題がある。
【先行技術文献】
【特許文献】
【０００３】
【特許文献１】特開平11-46604号公報
【発明の概要】
【発明が解決しようとする課題】
【０００４】
本発明の技術的課題は、このような問題に着目し、天然の丸太や丸太状体を使用しても、半円状窪みを形成することで、支持手段の足の数に係わらず強固に安定良く、かつ余り目立たずに固定できる立ち木支持方法を実現することにある。また、丸太に半円状窪みを形成するのは困難であるが、本発明はこれを容易に実現可能とする。
【課題を解決するための手段】
【０００５】
請求項１は、立ち木を支持する水平木に、立ち木を嵌入させる半円状窪みと、その両端寄り又は支柱の上端寄りに設けた半円状窪みを、嵌入状態に縄や紐で縛るか又はベルト若しくは立ち木以外をボルトナットで締め付けることを特徴とする立ち木の支持方法であり、支持手段は公知の２本足でも３本足でも４本足でもよい。ボルトナットを用いる場合は、立ち木以外の支持手段に用いることは言うまでもない。水平木や支柱は、天然の木でもよいし擬木でもよい。
半円状窪みの形成は、擬木の場合は半円凹形に成型するのがよいが、天然木を使用するときは専用の治具を使用して筒状のカットソーでカットして形成するのがよい。  
【０００６】
請求項２は、前記の水平木の立ち木寄りを支持するつっかい棒を設けて３本足とする場合に、前記つっかい棒又は水平木に半円状窪みを形成して、嵌入状態に縄や紐で縛るか又はベルト若しくはボルトナットで締め付けることを特徴とする請求項１に記載の立ち木の支持方法である。
【０００７】
請求項３は、前記の立ち木を嵌入させる半円状窪みは、予め立ち木の太さより大きめに形成しておき、立ち木が太くなるにつれて、嵌入部を締めなおすことを特徴とする請求項１又は請求項２に記載の立ち木の支持方法である。
【０００８】
請求項４は、立ち木を支持する水平木に、立ち木を嵌入させる半円状窪みと、その両端寄り又は支柱の上端寄りに設けた半円状窪みを、交差状態に縄や紐で縛るか又はベルト若しくは立ち木以外をボルトナットで締め付けてあることを特徴とする立ち木の支持構造である。
【０００９】
請求項５は、前記の水平木の立ち木寄りを支持するつっかい棒を設けて３本足とする場合に、前記つっかい棒又は水平木に半円状窪みを形成して嵌入させ、かつ縄や紐で縛るか又はベルト若しくはボルトナットで締め付けてあることを特徴とする請求項４に記載の立ち木の支持構造である。
【００１０】
請求項６は、前記の支柱及び／又はつっかい棒は、少なくとも地表の上側と下側が金属を溶射してあることを特徴とする請求項４又は請求項５に記載の立ち木の支持構造である。
【００１１】
請求項７は、丸太の側面に半円状窪みを形成する際に、２本の丸太を重ねた状態で横に寝かせ又は立てて、前記２本の丸太の境部を中心にして二つ同時にホールソーで穴あけすることを特徴とする半円状窪みの形成方法である。２本の丸太は、治具で固定した状態で加工する。
【００１２】
請求項８は、１〜２本の丸太を固定する手段と、
前記丸太に半円状の窪みを形成するホールソーを取付ける本体を前後にスライドさせるガイド手段と、
このガイド手段を前記丸太の固定手段に対し回転可能に支持する手段と、
を備えていることを特徴とする半円状窪みの形成装置である。  
【発明の効果】
【００１３】
請求項１のように、並木などにする立ち木を支持する水平木に、立ち木を嵌入させる半円状窪みと、その両端寄り又は支柱の上端寄りに設けた半円状窪みを、嵌入状態に縄や紐で縛るか又はベルト若しくは立ち木以外をボルトナットで締め付ける方法によると、天然木や擬木で自然な温かみを醸し出すことができ、しかも立ち木と水平木が嵌入状態となるだけでなく、最悪でも線接触となり、水平木と支柱とは面接触となるので、支持がより安定する。加えて、半円状窪みに沈んで、支持手段が目立たなくなるので、相対的に立ち木を目立たせる事かできる。
【００１４】
請求項２のように、前記の水平木の立ち木寄りを支持するつっかい棒を設けて３本足とする場合に、前記つっかい棒又は水平木に半円状窪みを形成して嵌入させた状態に縄や紐で縛るか又はベルト若しくはボルトナットで締め付けて固定するので、水平木が直角方向にも支えられることになり、それだけ立ち木が倒れたり傾きにくくなる。
【００１５】
請求項３のように、前記の立ち木を嵌入させる窪みは、予め立ち木の太さより大きめに形成しておき、立ち木が太くなるにつれて、嵌入部を締めなおすので、根づいている立ち木の径より嵌入窪みが小さくなったり、立ち木の成長で嵌入窪みがきつくなるといった問題が生じない。
【００１６】
請求項４のように、立ち木を支持する水平木に、立ち木を嵌入させる半円状窪みと、その両端寄り又は支柱の上端寄りに設けた半円状窪みを形成して、嵌入状態に縄や紐で縛るか又はベルト若しくは立ち木以外をボルトナットで締め付けてなる立ち木の支持構造は、天然木や擬木で自然な温かみを醸し出すことができ、しかも立ち木と水平木が嵌入構造となり、最悪でも線接触となるので、支持がより安定する。
【００１７】
請求項５のように、前記の水平木の立ち木寄りを支持するつっかい棒を設けて３本足とする場合に、前記つっかい棒又は水平木に半円状窪みを形成し嵌入させた状態に縄や紐で縛るか又はベルト若しくはボルトナットで締め付けて固定するので、水平木が直角方向にも支えられることになり、それだけ立ち木が倒れたり傾きにくくなる。
【００１８】
請求項６のように、前記の支柱及び／又はつっかい棒は、少なくとも地表の上側と下側が金属を溶射してあるので、害虫が付きにくく、その結果腐食し難く長持ちする。
【００１９】
請求項７のように、丸太の側面に半円状窪みを形成する際に、２本の丸太を重ねた状態で横に寝かせ又は立てて、前記２本の丸太の境部を中心にして二つ同時にホールソーで穴あけすることにより、半円状窪みを安定良く形成できると共に同時に二つ形成でき、加工が能率的である。
【００２０】
請求項８のように、１〜２本の丸太を固定する手段を備えているので、１〜２本の丸太を安定よく固定した状態で、ガイド手段に取付けて、ホールソーを前後にスライドさせ、半円状の窪みを形成することができる。また、このガイド手段を前記丸太の固定手段に対し回転させることで、α方向に傾いた窪みも形成できる。
【図面の簡単な説明】
【００２１】
【図１】従来の立ち木の支持構造を示す斜視図である。
【図２】本発明による水平木の平面図と半円状窪み側から見た背面図である。
【図３】図２の水平木で立ち木を支持している状態を示す斜視図である。
【図４】つっかい棒を設けた３本足の実施形態を示す斜視図である。
【図５】ベルトの別の実施形態を示す側面図である。
【図６】ボルトナットで半円状窪みの位置を締結した支持手段を示す斜視図である。
【図７】防虫目的の金属溶射を行なった支柱を示す断面図である。
【図８】同時に二つの半円状窪みを形成する方法を示す斜視図である。
【図９】単一の半円状窪みを形成する方法を示す斜視図である。
【図１０】単一の半円状窪みを形成する別の実施形態を示す分解斜視図である。
【図１１】図10の装置の使用状態を示す斜視図である。
【図１２】単一の半円状窪みを形成するさらに別の実施形態を示す斜視図である。
【図１３】図12の本体ガイド機構の分解斜視図である。
【図１４】本体ガイド機構の別の実施形態を示す分解斜視図である。
【発明を実施するための形態】
【００２２】
次に本発明による立ち木の支持方法並びに支持構造が実際上どのように具体化されるか実施形態を詳述する。図２は、本発明による水平木の平面図と半円状窪み側から見た背面図であり、本発明の水平木２’は、全長の約２分の１の位置に、立ち木が嵌入する半円状窪み６を形成してある。また、左右の両端寄り21、22には、支柱３、４が嵌入する半円状窪み７、８を形成してある。  図３は、図２の水平木２’を利用して、立ち木１が倒れたり傾いたりしないように支持している状態を示す斜視図である。
【００２３】
すなわち、立ち木１を真ん中の半円状窪み６に挿入して嵌入させ、互いにベルトＢで締め付けて、互いに固定してある。また、両側の半円状窪み７、８に、支柱３、４の上端寄りを挿入し嵌入させた状態で、互いにベルトＢで締め付けて、互いに固定してある。
水平木２’の両端寄りに形成する半円状窪み７、８を代えて、支柱３、４の上端寄りに、半円状窪みを形成してもよい。そして、水平木２’を支柱３、４の半円状窪みを嵌入させて、ベルトＢで締め付けて、互いに固定する。
ベルトＢの種類は特に指定しないが、図４のようなズボンのバックル様の器具を備えたものや、図５のようなゆうパック（登録商標）型式の締め具を一対備えたゴム質や合成樹脂質のベルトが適している。
なお、ベルトＢに代えて、縄や紐で縛っても差し支えない。
【００２４】
２本の支柱３、４は、上から見た場合に、放射状に開いた構成とする方が安定性が良い。そのような要請に対応できるように、角度αだけ開いた形状に半円状窪み７、８を形成するのがよい。
また、支柱３、４を水平木２’と直角方向にも開かせ、鉛直に生えている立ち木１に対し放射状とするには、立ち木１の嵌入用の半円状窪み６は鉛直方向であるのに対し、左右の半円状窪み７、８は、図４のように、多少の角度βを持たせた形状に形成する必要がある。
【００２５】
図４は、水平木２’の立ち木１寄りの位置を支えるつっかい棒５’を設けて３本足とする構成を示す斜視図であり、前記つっかい棒５’に半円状窪み９を形成して、水平木２’を嵌入させ、嵌入部を縄や紐で縛るか、ベルトＢで締め付けてある。つっかい棒５’の上端寄りに設ける半円状窪み９に代えて、水平木２’に半円状窪みを設けてもよい。
このように、３本足の構成とすることにより、水平木２’が、水平木２’と直角方向にも支えられることになるので、それだけ立ち木１が倒れたり傾きにくくなり、安定性が増す。
なお、つっかい棒５’は、立ち木１にもベルトなどで連続固定してもよい。
【００２６】
立ち木１は生えている天然木のため、太さが自然と太ってくる。そこで、水平木２’は、立ち木１の嵌入する半円状窪み６を予め大きく形成しておくのがよい。そして、立ち木１が太くなるにつれて、嵌入部のベルトや縄を締めなおすのである。
【００２７】
図６は、半円状窪みへの嵌入部をボルトナットで締め付け固定した状態であり、丸太に座ぐりすると、ナットやボルトの頭部が沈んで隠れるので、立ち木１の支持手段がより目立たなくなり、効果的である。生えている立ち木１にはボルトを貫通させないことは、言うまでもない。
なお、半円状窪みを形成したことで、半円状窪みの面に接着剤を塗布して接着固定すると、立ち木の支持手段を一層目立たなくできる。
【００２８】
支柱３、４やつっかい棒５、５’は、土の中に棲んでいる白蟻などの虫がはい上がって来て腐食を来すなどの問題が有るが、図７のように金属等を溶射することで容易に防止できる。支柱３、４やつっかい棒５、５’の場合、土の表面から約１０ｃｍの部位から上には虫は行かないので、容射する必要がない。
ｍが溶射された領域であり、支柱３、４やつっかい棒５、５’の表面に200 μｍ程度溶射するので、薄い筒状に形成される。土中の全長にわたって溶射してもよいが、図示例では、地表付近だけに250 〜300 ｍｍの長さに渡って溶射してある。銅のように融点の低い金属が好適である。
【００２９】
次に、丸太の側面に半円状窪みを形成するのは、安定性が悪いために困難であるから、次のように治具を考案した。
図８のように、水平木用の２本の丸太２３、２４を重ねた状態で横に寝かせ、前記２本の丸太２３、２４の境部を中心にして二つ同時にホールソーｈで穴あけする。２本の丸太２３、２４の左右両端を両側から安定良く保持すべく、ボルト11、12、11’、12’を立ててある。１３、１３は押さえ具、１４…は蝶ナットである。
２本の丸太２３と２４の間にスペーサを挟み、このスペーサの２分の１の位置を中心にして、立ち木１より大径のホールソーｈで穴開けすると、予め大きめの半円状窪みを形成する場合に有効である。この場合、形成される半円状窪みは、正確には半円状ではないが、半円状に含まれるものとする。
なお、２本の丸太２３、２４の立てたい場合は、ボルト11、12、11’、12’を水平に固定するとよい。
【００３０】
図９は単一の半円状窪みを形成する方法を示す斜視図である。この場合は、１本の丸太２３の両端をボルト11、12と11’、12’とで挟み、押さえ具13、13で押さえた状態で、蝶ナット１４…で締め付けてある。従って、保持手段は、図８の装置と兼用できる。
丸太２３の一方にホールソーｈのセンターホールドｃを設けて、ホールソーｈのセンタードリルｄを保持できるようにしてある。
そして、センターホールドｃにセンタードリルｄを支持させて、他方からホールソーｈで穴あけ加工をする。
センターホールドｃを矢印のように左右や上下に移動したり、角度調節するために回動する構成にしておけば、半円状窪みの傾斜方向を任意に設定できるので、図２、図３のように、水平木２’の左右の半円状窪みをα方向に傾けて形成する場合に有効である。なお、押さえ具13、13を緩めて丸太２３を回転させることで、β方向の角度調節ができる。
【００３１】
図１０、図１１は、単一の半円状窪みを形成する方法を示す別の実施形態である。図１０の分解図で示すように、Ｖ状に開いた１対の受け具１５・１５に載せてチェーンで丸太２３を固定している。チェーンの端部と受け具の間はバックル１６、１６でロックされる。
円板１７の上に固定された角度調節板１８の円筒ｙには、締め具１９でホールソーｈの本体２０側を固定した状態でスライドできるスライダー２７が、ガイド２８を介して取付けた回転柱ｐが挿入される。スリット２６は、ガイド２８を上下動させる際のガイドである。
【００３２】
図１１は組立てて使用している状態の斜視図であり、スライダー２７によってホールソーｈを前進させながら回転させることで、丸太２３に半円状窪みを形成できる。また、親指で操作片２９を押して割り溝２５から脱出させた状態で、中央円を中心に角度調節板１８を回すことで、半円状窪みの角度αを任意に設定できる。
チェーンによる丸太２３の取付け位置を選んだり、ホールソーｈを上下させることが出来、また丸太２３を受け具１５・１５上で回転させることか出来る。なお、図８、図９のホールソーｈを安定良く前進させるには、ドリル本体２０側を安定させる図１０、図１１のガイド手段２８が有効である。
【００３３】
図１２は、さらに別の実施形態であり、締め具１９でホールソー本体２０側を固定した状態で、ホールソーｈと共にスライドできるスライダー２７を備えている。
また、Ｖ状に開いた１対の受け具１５・１５に載せた丸太２３をチェーンで固定し、その先端を受け具１５側に、バックル１６でロックする構造になっている。そして、丸太保持板１７がスライドする基盤１７’と角度調節板１８とは、矢印のように、回転中心３０を中心に互いに回動可能なため、α方向の設定ができる。しかも、丸太の加工に使用しないで保管したり運搬する場合は、丸太保持板１７をスライドさせて、基盤１７’から抜いた状態で、基盤１７’だけを本体２０ガイド機構の下側に重ねることができる。
なお、丸太２３の先端に半円状窪みを加工するので、ホールソーｈに対し片方のみ（図の右側）がチェーン保持されるが、先端にチェーンを巻くスペースが有る場合は、図１０、図１１のように、両側を保持するとより安定である。
【００３４】
図１３は、本体ガイド機構の分解斜視図であり、締め具１９で本体２０側を固定するスライダー２７を有し、スライダー２７のダブル円筒３１の中に挿通されるダブル長筒３２を有している。このダブル長筒３２の先端には、２枚のクサビ３５の上端縁が入るガイドスリットｓを有し、基端を連結している連結筒３３に挿通される軸筒３４は、角度調節板１８の回転中心３０と反対側の端部に取付けてある。
半円状窪みの深さ調節のためのクサビ３５を回転中心３０寄りに配設すると共に、クサビ３５を出し入れすべく、ネジ棒３６を備えている。そして、ネジ棒３６の先端をクサビ３５の底板側と螺合し、基端にハンドル３７を取付けてある。
なお、中間のメネジブロック３８は、取付け板３９を介して、角度調節板１８の軸筒３４寄りに取付け固定される。
従って、ハンドル３７を操作して、クサビ３５を出し入れすると、ホールソーｈの向きが上下に変わって、半円状窪みの深さ調節が行われる。
【００３５】
図１４は、本体ガイド機構の他の実施形態であり、締め具１９で本体２０側を固定した状態でスライドできるスライダー２７が、ガイド２８に前後動可能に支持される。ガイド２８の基端の連結筒３３に挿通される軸筒３４は、角度調節板１８の回転中心３０と反対側の端部に取付けられる。
半円状窪みの深さ調節のためのクサビ３５を回転中心３０側に配設する点は図１３と同一であるが、クサビ３５を出し入れすべく、ネジ棒ではなく、バー４０を備えている。そして、Ｌ状のハンドル３７を圧縮スプリング４１に抗してバー４０を引くと、クサビ３５でガイド２８の先端を押し上げ、ホールソーｈが上向きに変わって、半円状窪みの深さが浅くなる。
なお、ホールソーｈの振れ防止の丸穴４２の開いた支持枠が上下にスライドした状態で、ネジ４３で固定される。
【００３６】
図１４のホールソーｈの振れ防止の丸穴４２やセンタードリルｄを支持するセンターホールドｃを設けると、ホールソーｈの回転が安定する。また、本体２０は、図８、図９のように、手で支持するには熟練を要するが、図１０〜図１４のように、ガイド手段２７、２８を備えると、より安定する。丸太２３の保持は、図８、図９のような押さえ具を蝶ナットで締め付ける構造でもよいが、図１０以下のようにＶ状に開いた１対の受け具に載せてチェーンを巻いて、バックルでロックすると能率的である。
なお、図７以下の装置は、４本足の立ち木支持装置にも適用されることはいうまでもない。
【産業上の利用可能性】
【００３７】
以上のように、天然の丸太や丸太状体に半円状窪みを形成して、相手の丸太や丸太状体を嵌入させることで、強固に安定良く固定でき、かつ支持手段が目立たなくなる。また、丸太に半円状窪みを形成するのは困難であるが、本発明の治具を用いると容易に形成できる。
【符号の説明】
【００３８】
１  立ち木
２・２’  水平木
３・４  支柱
５・５’  つっかい棒
６  立ち木が嵌入する半円状窪み
７・８  支柱が嵌入する半円状窪み
Ｂ  ベルト
９  つっかい棒に形成した半円状窪み
23・24  丸太
11、12、11’、12’  ガイドボルト
１３  アーチ状の押さえ具
１４…  蝶ナット
ｈ  ホールソー
ｄ  センタードリル
ｃ  センターホールド
１５  受け具
１８  角度調節板
１９  締め具
２０  ドリル本体
２３  丸太
２５  割り溝
２７  スライダー
２８  ガイド
２９  操作片
３０  回転中心
３２  ダブル長筒
３５  クサビ
【図１】
0005620935.tif 000002
【図２】
0005620935.tif 000003
【図３】
0005620935.tif 000004
【図４】
0005620935.tif 000005
【図５】
0005620935.tif 000006
【図６】
0005620935.tif 000007
【図７】
0005620935.tif 000008
【図８】
0005620935.tif 000009
【図９】
0005620935.tif 000010
【図１０】
0005620935.tif 000011
【図１１】
0005620935.tif 000012
【図１２】
0005620935.tif 000013
【図１３】
0005620935.tif 000014
【図１４】
0005620935.tif 000015